(57)【要約】【課題】振動弁のピッチを自由に設計でき、振動弁を弾く機構の集中を回避すると共に、材料を節約する。【解決手段】発音ユニット１０は複数の鍵Ｋの各々に対応して設けられ、基部１１からは振動弁であるリード１２が片持ち状態で延設されている。各発音ユニット１０は金属製である。楽器本体３０に支持部３１が固定される。各発音ユニット１０の基部１１が支持部３１に取り付けられる。連動部材２５は、対応する鍵Ｋの操作に応じて変位し、対応するリード１２を駆動して（弾いて）発音させる。【選択図】図１
2018072703.tif 000002
【特許請求の範囲】
【請求項１】
楽器本体と、
前記楽器本体の部分または前記楽器本体に固定された部分である支持部と、
複数の鍵と、
金属製で片持ち状態の振動弁を有し、前記複数の各鍵に対応して各々が前記支持部に取り付けられた複数の発音体と、
前記複数の各鍵に対応して設けられ、対応する鍵の操作に応じて変位し、対応する発音体の前記振動弁を弾くことで発音させる発音体駆動部と、を有することを特徴とする鍵盤楽器。
【請求項２】
前記支持部に対する前記発音体の各々の位置を規制する位置決め部を有することを特徴とする請求項１に記載の鍵盤楽器。
【請求項３】
前記位置決め部は、前記発音体の各々の長手方向及び幅方向の位置を規制することを特徴とする請求項２に記載の鍵盤楽器。
【請求項４】
前記発音体の各々は前記支持部に対してネジにより固定されることを特徴とする請求項１〜３のいずれか１項に記載の鍵盤楽器。
【請求項５】
前記支持部に対して、２個以上の前記発音体を一斉に取り付けるための締結手段を有することを特徴とする請求項１〜３のいずれか１項に記載の鍵盤楽器。
【発明の詳細な説明】
【技術分野】
【０００１】
本発明は、鍵に対応して設けられるリード等の振動弁を発音させる鍵盤楽器に関する。
【背景技術】
【０００２】
従来、オルゴール装置のリードを鍵盤の鍵の操作によって発音させる試みがなされている（下記非特許文献１）。非特許文献１では、スターホイールをモータで回転させ、鍵操作でリードを発音させる構造を開示している。
【先行技術文献】
【非特許文献】
【０００３】
【非特許文献１】“長島研究所-オルゴールと自動楽器”、［online］、オルゴール〔平成２８年１０月３日検索〕、インターネット＜ＵＲＬ：http://www.nagashima-lab.com/?page_id=192＞
【発明の概要】
【発明が解決しようとする課題】
【０００４】
リードのピッチを鍵に合わせて特注するのはコスト面で現実的でないため、発音ユニットとして市販のオルゴールを利用するのが通常であり、上記非特許文献１でも市販品を用いていると思われる。このような市販品ではリードのピッチが鍵のピッチより狭いため、リードを駆動（弾く）するための機構を狭いスペースに配設すると駆動機構が集中してしまう。仮に、基部から延設されるリードのピッチを鍵に合わせた発音ユニットを特別に製作したとすると、隣接するリード間に相当する材料が無駄になるという不利もある。ところで、鍵操作でリードを弾くように構成する場合、リードとリードを駆動する駆動部との相互位置関係を正確に確保する必要がある。しかし市販のオルゴールを利用する場合、個々のリードの位置は固定であるため、位置調整は鍵及び駆動部の側で行う必要が生じる。
【０００５】
本発明は上記従来技術の問題を解決するためになされたものであり、その目的は、振動弁のピッチを自由に設計でき、振動弁を弾く機構の集中を回避すると共に、材料を節約することができる鍵盤楽器を提供することにある。
【課題を解決するための手段】
【０００６】
上記目的を達成するために本発明の請求項１の鍵盤楽器は、楽器本体（３０）と、前記楽器本体の部分または前記楽器本体に固定された部分である支持部（３１）と、複数の鍵と、金属製で片持ち状態の振動弁を有し、前記複数の各鍵に対応して各々が前記支持部に取り付けられた複数の発音体（１０）と、前記複数の各鍵に対応して設けられ、対応する鍵の操作に応じて変位し、対応する発音体の前記振動弁を弾くことで発音させる発音体駆動部（２５）と、を有することを特徴とする。なお、上記括弧内の符号は例示である。
【発明の効果】
【０００７】
本発明の請求項１によれば、振動弁のピッチを自由に設計でき、振動弁を弾く機構の集中を回避すると共に、材料を節約することができる。
【０００８】
請求項２、３によれば、発音体の各々を正確な位置に取り付けることができる。請求項４によれば、取り付け状態を強固にすると共に、位置調整可能な設計にしやすい。請求項５によれば、発音体の取り付け作業を容易にすることができる。
【図面の簡単な説明】
【０００９】
【図１】第１の実施の形態に係る鍵盤楽器の要部の平面図、側面図である。
【図２】第１の変形例の発音ユニットの平面図（図（ａ））、側面図（図（ｂ））、第２の変形例の発音ユニットの平面図（図（ｃ））、第３の変形例の発音ユニットの平面図（図（ｄ））、側面図（図（ｅ））である。
【図３】第２の実施の形態における発音ユニットの平面図（図（ａ））、第４の変形例の発音ユニットの平面図（図（ｂ））、側面図（図（ｃ））である。
【発明を実施するための形態】
【００１０】
以下、図面を参照して本発明の実施の形態を説明する。
【００１１】
（第１の実施の形態）
図１（ａ）、（ｂ）はそれぞれ、本発明の第１の実施の形態に係る鍵盤楽器の要部の平面図、側面図である。この鍵盤楽器においては、下ケース等の楽器本体３０に白鍵ＷＫ及び黒鍵ＢＫを含む複数の鍵Ｋが配設される。この鍵盤楽器は、鍵Ｋに対応して設けられる発音体としての発音ユニット１０が有する振動弁としてのリード１２を鍵Ｋの操作によって弾いて振動させて発音させるように構成される。鍵Ｋの並び方向を左右方向とし、鍵Ｋの長手方向を前後方向とする。鍵盤楽器は、複数の鍵Ｋ（例えば、１オクターブ分）が一体となった鍵ユニットＫＵＴを複数有する。図１（ａ）では鍵ユニットＫＵＴの１つを図示している。鍵ユニットＫＵＴは例えば樹脂製である。
【００１２】
鍵盤楽器は、発音ユニット１０を複数有する。本実施の形態では、発音ユニット１０は音高ごとに存在する。各発音ユニット１０は基部１１を有し、基部１１から振動弁であるリード１２が片持ち状態で延設されている。各発音ユニット１０は金属製である。各発音ユニット１０の基本構成は共通するが、各リード１２は音高に応じて基部１１からの延設長さや幅が異なる。基部１１は、楽器本体３０に固定された支持部３１に取り付けられる。支持部３１への基部１１の取り付けの態様は問わず、接着や螺着による固着でもよい。
【００１３】
鍵ユニットＫＵＴは１つの共通基端部２０を有する。共通基端部２０は楽器本体３０に支持される。鍵ユニットＫＵＴにおける鍵Ｋの各々は、それらの後端部２１が共通基端部２０に回動軸２４で回動（揺動）自在に支持される。従って、鍵Ｋの各々は、独立して前端部が共通基端部２０に対して上下方向に揺動する。なお、各鍵Ｋは非押鍵位置に常に付勢され、非操作状態においては不図示の位置決め部によって非押鍵位置に規制されている。さらに、各鍵Ｋの押鍵方向の変位終了位置を規制するストッパ（図示せず）が楽器本体３０に設けられている。押鍵操作されると各鍵Ｋの前端部が下方に揺動し、離鍵操作されると前端部が上方に揺動して非押鍵位置へ復帰する。
【００１４】
各鍵Ｋの下方には、対応するリード１２を弾くための連動部材２５が配置される。各鍵Ｋに対応する連動部材２５の構成は共通である。各連動部材２５は、回動軸２４を中心に回動自在に配設される。回動軸２４は楽器本体３０に支持される。鍵Ｋからは垂下部２３が垂下形成され、垂下部２３に連動部材２５の前端部が係合しており、連動部材２５は鍵Ｋと連動して回動する。鍵Ｋが押下操作されると、対応する連動部材２５の先端が上昇し、対応するリード１２を駆動する（弾く）。これによりリード１２が振動して発音する。
【００１５】
ところで、各連動部材２５は、予め対応する鍵Ｋの垂下部２３に組み付けられており、鍵ユニットＫＵＴは、連動部材２５を含んでユニット化されて、駆動部材付きユニット１００となっている。連動部材２５の先端位置はほぼ共通である。支持部３１への発音ユニット１０の取り付けの段階で、各リード１２の前後方向における自由端部の位置は対応する連動部材２５の先端位置に合わせて位置調整がなされる。また幅方向（左右方向）においても、リード１２のピッチは連動部材２５のピッチと一致するように調整される。
【００１６】
発音ユニット１０及び鍵ユニットＫＵＴの鍵盤楽器への組み付けは次のようになされる。まず、作業者は、楽器本体３０に支持部３１を固定すると共に、駆動部材付きユニット１００（連動部材２５を含んだ鍵ユニットＫＵＴ）をフレームに固定する。次に作業者は、発音ユニット１０の基部１１を支持部３１に固定する。ここで、鍵ユニットＫＵＴにおける鍵Ｋ同士及び連動部材２５同士の相対的な位置関係が予め決められている。従って、基部１１を支持部３１に固定する際、左右及び前後方向において各リード１２の位置を対応する連動部材２５に合わせて調整しつつ固定する。
【００１７】
本実施の形態によれば、リード１２を有する発音ユニット１０の各々は、各鍵Ｋに対応し、独立して設けられ、各々の基部１１が支持部３１に取り付けられる。従って、リード１２のピッチは市販のオルゴールのように小さいものに制約されることなく自由に設計でき、例えば、鍵Ｋ乃至連動部材２５のピッチと一致させることも容易である。リード１２のピッチが狭すぎないことから、連動部材２５等の、リード１２を弾く機構が狭いスペースに集中することを回避できる。また、リードピッチの広いオルゴールを製作する場合に比べ、材料の無駄が生じない。よって、リード１２のピッチを自由に設計でき、リード１２を弾く機構の集中を回避すると共に、材料を節約することができる。また、各リード１２が独立していることから、個々のリード１２の位置調整機構を設けることも容易となる。
【００１８】
なお、本実施の形態において、発音ユニット１０の基部１１の支持部３１への取り付けの一例に加えて、位置決め機構を採用した例を、図２で変形例として説明する。各発音ユニット１０の構成は同様であるので代表して１つを説明する。
【００１９】
図２（ａ）、（ｂ）は、第１の変形例の発音ユニット１０の平面図、側面図である。この例では、支持部３１に位置決めピン３２が１つ突設されると共に、前後方向における位置決めピン３２とは異なる位置に不図示のネジ穴が形成される。基部１１には位置決めピン３２が嵌る形状の穴１１ａが１つ形成される。作業者は、位置決めピン３２に基部１１の穴１１ａを嵌め、ネジ１３で支持部３１に基部１１を固定する。位置決めピン３２と穴１１ａとの係合によってリード１２の長手方向及び幅方向における発音ユニット１０の位置が規制される。なお、基部１１に形成された、ネジ１３が貫通する穴の余裕の範囲で、位置決めピン３２を中心に発音ユニット１０がわずかに回転可能であり、回転方向において位置の微調整が可能である。
【００２０】
図２（ｃ）は第２の変形例の発音ユニット１０の平面図である。この例では、発音ユニット１０の基部１１を２つのネジ１３で支持部３１に固定する。基部１１に形成された、ネジ１３が貫通する穴の余裕の範囲で、リード１２の長手方向及び幅方向における発音ユニット１０の位置を調整可能である。第１、第２の変形例によれば、発音ユニット１０の各々を正確な位置に取り付けることができる。また、発音ユニット１０はネジ１３で締結固定されるので、取り付け状態を強固にすると共に、位置調整可能な設計にしやすい。すなわち、貼り付け等による固定では剥がれるおそれがあり、再締結もできないことから微調整が困難である。これに対し、ネジによる固定では位置調整が可能で、耐久性も向上する。しかも、リード１２の振動も支持部３１へ伝わりすくなるため音質向上も期待できる。
【００２１】
図２（ｄ）、（ｅ）は、第３の変形例の発音ユニット１０の平面図、側面図である。この例では、支持部３１に位置決めピン３２が２つ突設されると共に、２つの位置決めピン３２間に不図示のネジ穴が形成される。基部１１には位置決めピン３２が嵌る形状の穴１１ａが位置決めピン３２に対応して２つ形成される。作業者は、各位置決めピン３２に基部１１の対応する穴１１ａを嵌め、ネジ１３で支持部３１に基部１１を固定する。位置決め機構を成す位置決めピン３２及び穴１１ａが２組であるので、リード１２の長手方向及び幅方向における発音ユニット１０の位置が一義的に規制される。第３の変形例によれば、発音ユニット１０の各々を正確な位置に取り付けることができると共に、取り付け状態を強固にすることができる。
【００２２】
（第２の実施の形態）
第１の実施の形態では、発音ユニット１０は１つずつ支持部３１に取り付けられる構成であった。これに対し本発明の第２の実施の形態では、２つ以上の発音ユニット１０を一斉に支持部３１に取り付けるための締結手段を備える。
【００２３】
図３（ａ）は、第２の実施の形態における発音ユニット１０の平面図である。この例では、支持部３１には、１つの発音ユニット１０に対して位置決めピン３２が２つ突設されると共に、左右方向における適所に不図示のネジ穴が形成される。各基部１１には位置決めピン３２が嵌る形状の穴１１ａが位置決めピン３２に対応して形成される。本実施の形態では、鍵盤楽器は、締結手段として抑え部材１６及びネジ１３を有する。
【００２４】
作業者は、発音ユニット１０の各々について、基部１１の各穴１１ａを、対応する位置決めピン３２に嵌める。抑え部材１６を２つの発音ユニット１０の基部１１に被せて、２つのネジ１３で抑え部材１６を支持部３１に固定する。これにより、２つの基部１１が支持部３１に一斉に固定される。位置決め機構に関しては、図２（ｄ）、（ｅ）に示す例と同様で、発音ユニット１０の各々について、位置決めピン３２及び穴１１ａが２組であるので、リード１２の長手方向及び幅方向における発音ユニット１０の位置が一義的に規制される。
【００２５】
本実施の形態によれば、リード１２のピッチを自由に設計でき、リード１２を弾く機構の集中を回避すると共に、材料を節約することに関し、第１の実施の形態と同様の効果を奏することができる。また、発音ユニット１０の各々を正確な位置に取り付けること、及び取り付け状態を強固にすることに関し、第３の変形例（図２（ｄ）、（ｅ））と同様の効果を奏することができる。さらに、２個以上の発音ユニット１０を一括して（一斉に）取り付けることができるので、発音体の取り付け作業を容易にすることができる。また、基部１１に穴を設けなくてもよくなるので、基部１１の幅を小さく設計でき、材料の節約や歩留まりの向上も期待できる。なお、一斉に固定できる発音ユニット１０の数は３以上でもよい。
【００２６】
なお、第３の変形例（図２（ｄ）、（ｅ））や本実施の形態において、リード１２の長手方向及び幅方向における発音ユニット１０の位置を規制する位置決め機構として、位置決めピン３２を例示したが、これに限定されない。図３（ｂ）、（ｃ）は、第４の変形例の発音ユニット１０の平面図、側面図である。例えば、図３（ｂ）、（ｃ）に例示するように、支持部３１に、幅方向の位置決め壁１４、１４を一対突設すると共に、長手方向の位置決め壁１５を突設する。そして、位置決め壁１４、１４、位置決め壁１５に囲まれる範囲に基部１１を配置し、ネジ１３で基部１１を支持部３１に固定してもよい。この例は、図３（ａ）の例にも適用できる。
【００２７】
なお、発音ユニット１０が取り付けられる部分は、楽器本体３０に対して固定的な部分であればよい。従って、支持部３１は、楽器本体３０の部分または楽器本体３０に固定された部分であればよい。
【００２８】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００２９】
１０  発音ユニット（発音体）、  １２  リード（振動弁）、  １３  ネジ、  １６  抑え部材（締結手段）、  ２５  連動部材（発音体駆動部）、  ３０  楽器本体、  ３１  支持部、  ３２  位置決めピン（位置決め部）、  Ｋ  鍵
【図１】
2018072703.tif 000003
【図２】
2018072703.tif 000004
【図３】
2018072703.tif 000005